(57)【特許請求の範囲】
【請求項１】
異なるチャネルを通じて生体情報を含む信号を送信する複数の送信装置と通信可能であり、携帯可能な受信装置であって、
チャネルを切り換えつつ、各前記送信装置から信号を受信する受信部と、
前記受信部により受信された複数の信号のうち、強度が最も高い信号のチャネルを判定する判定部と、
前記判定部により判定された信号のチャネルを、生体情報を監視する監視チャネルとして設定する設定部と、
前記設定部により設定された監視チャネルを使用する送信装置から送信される生体情報を表示する表示部と、
を有し、
前記表示部は、前記受信部により受信された信号の強度をチャネルごとに表示する受信装置。
【請求項２】
前記判定部は、前記受信部により受信された複数の信号の強度を所定の閾値と比較し、当該閾値よりも強度が高い信号の中で強度が最も高い信号のチャネルを判定する請求項１に記載の受信装置。
【請求項３】
前記表示部は、前記設定部により設定されたチャネルの信号に基づいて、生体情報を表示する請求項１または請求項２に記載の受信装置。
【請求項４】
前記監視チャネルを新規に設定するための指示を受け付ける受付部をさらに有し、
前記受付部において前記指示が受け付けられると、前記受信部、前記判定部および前記設定部が動作して、新たに監視チャネルが設定される請求項１〜３のいずれか一項に記載の受信装置。
【請求項５】
前記受信部において受信を制限するチャネルを設定する制限チャネル設定部をさらに有し、
前記受信部は、前記制限チャネル設定部により設定されたチャネルについては信号を受信しない請求項１〜４のいずれか１項に記載の受信装置。
【請求項６】
前記表示部は、前記受信部においてチャネルを切り換えつつ各前記送信装置から信号を受信する際に、受信するチャネルの範囲を表示する請求項１〜５のいずれか１項に記載の受信装置。
【請求項７】
生体情報を含む信号を送信する複数の送信装置と、当該複数の送信装置と通信可能であり携帯可能な受信装置とを有する医療用システムであって、
前記複数の送信装置は、それぞれ異なるチャネルを通じて信号を送信し、
前記受信装置は、
チャネルを切り換えつつ、各前記送信装置から信号を受信する受信部と、
前記受信部により受信された複数の信号のうち、強度が最も高い信号のチャネルを判定する判定部と、
前記判定部により判定された信号のチャネルを、生体情報を監視する監視チャネルとして設定する設定部と、
前記設定部により設定された監視チャネルを使用する送信装置から送信される生体情報を表示する表示部と、
を有し、
前記表示部は、前記受信部により受信された信号の強度をチャネルごとに表示する医療用システム。
【請求項８】
携帯可能な受信装置において生体情報を含む信号を受信するためのチャネル設定方法であって、
異なるチャネルを通じて送信される複数の信号を、チャネルを切り換えつつ無線により受信する受信ステップと、
前記受信ステップにおいて受信された複数の信号のうち、強度が最も高い信号のチャネルを判定する判定ステップと、
前記判定ステップにおいて判定された信号のチャネルを、以後に当該信号に含まれる生体情報を監視するための監視チャネルとして設定する設定ステップと、
前記設定ステップにおいて設定された監視チャネルを通じて送信される生体情報を表示する表示ステップと、
を有し、
前記表示ステップは、前記受信ステップにおいて受信された信号の強度をチャネルごとに表示するチャネル設定方法。
【発明の詳細な説明】
【技術分野】
【０００１】
本発明は、受信装置、受信装置を有する医療用システムおよびチャネル設定方法に関する。
【背景技術】
【０００２】
患者の心拍数や呼吸回数などの生体情報を検出し、表示する技術が知られている（例えば、特許文献１参照）。近年では、各患者の生体情報を検出して無線送信する複数の送信装置と、生体情報を受信して表示する受信装置として、検出機能と表示機能とが分散された医療用システムも知られている。
【０００３】
ここで、複数の送信装置は、相互に混信がないように、それぞれ異なる固有のチャネルが割り当てられている。チャネルは、例えば異なる周波数に対応している。受信装置は、複数の送信装置から生体情報を受信し、同時にまたは選択的に生体情報を表示できる。
【０００４】
送信装置が複数あるので、監視が必要な患者の送信装置からの生体情報を観察するためには、受信装置において、監視する送信装置の登録を設定したり、設定を解除したりする必要がある。例えば、送信装置固有のチャネル番号を入力することにより、受信装置において特定の送信装置を設定できる。
【先行技術文献】
【特許文献】
【０００５】
【特許文献１】特開２００９−０１７９５９号公報
【発明の概要】
【発明が解決しようとする課題】
【０００６】
しかし、上記の構成では、受信装置に送信装置のチャネルを設定するために、チャネル番号をユーザーが手入力しなくてはならない。これでは、送信装置の設定に手間がかかる上に、手作業に伴うチャネル番号の入力間違いが生じる虞がある。スピードと正確性が特に重要となる医療の現場においては、手軽かつ迅速に、間違いなく送信装置のチャネルを設定することが望まれている。
【０００７】
本発明は、上記事情に鑑みてなされたものであり、送信装置のチャネルを簡単かつ正確に設定できる受信装置、受信装置を有する医療用システムおよびチャネル設定方法を提供することを目的とする。
【課題を解決するための手段】
【０００８】
受信装置は、異なるチャネルを通じて生体情報を含む信号を送信する複数の送信装置と通信可能であり携帯可能であって、受信部と、判定部と、設定部と、表示部とを有する。受信部は、チャネルを切り換えつつ、各送信装置から信号を受信する。判定部は、受信部により受信された複数の信号のうち、強度が最も高い信号のチャネルを判定する。設定部は、判定部により判定された信号のチャネルを、以後に生体情報を監視する監視チャネルとして設定する。表示部は、設定部により設定された監視チャネルを使用する送信装置から送信される生体情報を表示する。また、表示部は、前記受信部により受信された信号の強度をチャネルごとに表示する。
【０００９】
受信装置を有する医療用システムは、生体情報を含む信号を送信する複数の送信装置と、当該複数の送信装置と通信可能であり携帯可能な受信装置とを有する。複数の送信装置は、それぞれ異なるチャネルを通じて信号を送信する。受信装置は、受信部と、判定部と、設定部と、表示部とを有する。受信部は、チャネルを切り換えつつ、各送信装置から信号を受信する。判定部は、受信部により受信された複数の信号のうち、強度が最も高い信号のチャネルを判定する。設定部は、判定部により判定された信号のチャネルを、以後に生体情報を監視する監視チャネルとして設定する。表示部は、設定部により設定された監視チャネルを使用する送信装置から送信される生体情報を表示する。また、表示部は、前記受信部により受信された信号の強度をチャネルごとに表示する。
【００１０】
携帯可能な受信装置において生体情報を含む信号を受信するためのチャネル設定方法は、受信ステップと、判定ステップと、設定ステップと、表示ステップとを有する。受信ステップは、異なるチャネルを通じて送信される複数の信号を、チャネルを切り換えつつ受信する。判定ステップは、受信ステップにおいて受信された複数の信号のうち、強度が最も高い信号のチャネルを判定する。設定ステップは、判定ステップにおいて判定された信号のチャネルを、以後に当該信号に含まれる生体情報を監視するための監視チャネルとして設定する。表示ステップは、設定ステップにおいて設定された監視チャネルを通じて送信される生体情報を表示する。また、前記表示ステップは、前記受信ステップにおいて受信された信号の強度をチャネルごとに表示する。
【発明の効果】
【００１１】
受信装置、受信装置を有する医療用システムおよびチャネル設定方法によれば、強度が最も高い信号のチャネルを監視チャネルとして設定するので、チャネル番号等の手入力が必要なく、手軽かつ迅速に、間違いなく送信装置のチャネルを設定できる。
【図面の簡単な説明】
【００１２】
【図１】第１実施形態に係る医療用システムの概略構成を示す図である。
【図２】第１実施形態に係る受信装置を示す図である。
【図３】第１実施形態に係る受信装置の概略構成を示すブロック図である。
【図４】受信装置の動作の流れを示すフローチャートである。
【図５】第２実施形態に係る医療用システムの使用態様例を示す図である。
【図６】第２実施形態に係る生体情報表示装置が表示する患者登録画面を示す図である。
【図７】第３実施形態に係る受信装置の動作の流れを示すフローチャートである。
【図８】送信装置から受信する信号強度よりも他機器から受信する信号強度が高い場合の様子を示す図である。
【図９】図８において制限チャネルを設定してサーチモード処理を実行する様子を示す図である。
【図１０】サーチモードを実行する際に第３実施形態の受信装置に表示される画面の例を示す図である。
【発明を実施するための形態】
【００１３】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１４】
（第１実施形態）
図１は第１実施形態に係る医療用システムの使用態様例を示す図、図２は第１実施形態に係る受信装置を示す図、図３は第１実施形態に係る受信装置の概略構成を示すブロック図である。
【００１５】
第１実施形態の医療用システム１０は、たとえば病院に設けられる。
【００１６】
図１に示すように、医療用システム１０は、送信装置２０と、受信装置３０とを有する。送信装置２０は、患者の生体情報を測定する測定手段２２を有する。各構成について説明する。
【００１７】
（送信装置２０）
送信装置２０は、患者に取り付けられる装置であり、患者の生体情報を検出し無線送信する。具体的には、送信装置２０は、心電図電極などの生体情報を取得する生体情報センサなどの測定手段２２を有し、患者の心拍数、呼吸数、血中酸素飽和度などの生体情報を検出し、検出した生体情報を、無線信号により送信する。
【００１８】
通常、送信装置２０は、一人の患者に対して一つが取り付けられるため、患者が複数存在する場合、送信装置２０も複数存在する。
【００１９】
送信装置２０には、それぞれ異なるチャネルが割り当てられ、各送信装置２０はそれぞれ異なるチャネルを通じて無線信号により生体情報を送信する。
【００２０】
（受信装置３０）
受信装置３０は、携帯可能であり、送信装置２０から送信される生体情報を受信し表示する。
【００２１】
受信装置３０は、図３に示すように、操作部３１、受信部３２、表示部３３、記憶部３４および制御部３５を有する。
【００２２】
操作部３１は、ユーザーからの各種入力等を受け付ける。操作部３１は、図２に示すように、受信装置３０上に設けられたハードウエアのボタンである。あるいは、表示部３３において、タッチパネル方式によりソフトウエアとして実現される操作キーであってもよい。操作部３１は、一機能として、ボタンの押下等により、後述するサーチモードへ切り換えの指示を受け付ける。
【００２３】
受信部３２は、送信装置２０から送信された信号および信号に含まれる生体情報を受信する。ここで、受信部３２は、受信する信号のチャネルを適宜設定または変更可能である。表示部３３は、図２に示すような表示画面であり、受信部３２が受信した生体情報や受信する信号のチャネルなどの表示を行う。
【００２４】
記憶部３４は、制御部３５の要求に従い、受信部３２が受信する信号のチャネルや受信した信号の強度などを記憶する。制御部３５は、上記各部の制御や各種の演算処理を行う。
【００２５】
前述のとおり、受信装置３０に生体情報を送信する送信装置２０は複数存在することが考えられる。
【００２６】
ここで、各送信装置２０が使用する信号のチャネルはそれぞれ異なる。したがって、受信装置３０は、受信する信号のチャネルが設定されることにより、特定の送信装置２０から送信された生体情報を受信して表示できる。
【００２７】
図４は受信装置３０の動作の流れを示すフローチャートである。このフローチャートでは、受信装置３０は、監視したい生体情報を含む信号のチャネル（以下、監視チャネルという）を自動的に選択し設定する。なお、以下の各ステップの動作については、基本的に制御部３５が各部を制御して実行する。
【００２８】
まず、受信装置３０は、サーチモードのボタン（操作部３１）が押下されたかどうかを判断する（ステップＳ１）。ここで、サーチモードとは、以下の手順により、特定の信号のチャネルを監視チャネルとして設定するためのモードである。
【００２９】
サーチモードのボタンが押下された場合（ステップＳ１：ＹＥＳ）、受信部３２は受信する信号のチャネルを切り換え（ステップＳ２）、切り換えたチャネルの信号を受信する（ステップＳ３）。たとえば、記憶部３４には予め全ての送信装置２０に割り当てられうるチャネルが記憶されており、受信部３２は、その中から一つのチャネルを選択して、信号を受信する。サーチモードのボタンが押下されて初めてステップＳ２が実行される際には、最も小さいチャネルが選択される。
【００３０】
制御部３５は、受信部３２により受信した信号の強度が所定の閾値以上か否かを判断する（ステップＳ４）。ここで、信号強度の所定の閾値とは、受信装置３０が送信装置２０から５０ｃｍの距離に近づいたときに、当該送信装置２０から受信装置３０が検出できる信号強度の平均値である。
【００３１】
受信した信号の強度が所定の閾値以上である場合（ステップＳ４：ＹＥＳ）、制御部３５は、その信号の強度の情報と共に受信したチャネルを記憶部３４に記憶する（ステップＳ５）。
【００３２】
受信した信号の強度が所定の閾値未満である場合（ステップＳ４：ＮＯ）、ステップＳ６の処理に進む。
【００３３】
制御部３５は、全ての送信装置２０のチャネルについて受信したか判断する（ステップＳ６）。全てのチャネルについてまだ受信していない場合（ステップＳ６：ＮＯ）、制御部３５は、ステップＳ２の処理に戻り、次のチャネルについて同様の処理を繰り返す。
【００３４】
全てのチャネルについて受信が完了した場合（ステップＳ６：ＹＥＳ）、制御部３５は、記憶部３４に記憶されたチャネルがあるかどうか判断する（ステップＳ７）。記憶部３４にチャネルが記憶されている場合（ステップＳ７：ＹＥＳ）、制御部３５は、判定部として、記憶されたチャネルの中で、最も信号強度が高かった信号のチャネルを判定する（ステップＳ８）。ここで、信号の強度は、信号の発生源（送信装置２０）からの距離が離れるほど減衰する。そのため、各送信装置２０の発生源における信号強度が同じであれば、受信装置３０から最も近くにある送信装置２０の持つチャネルの信号が、最大の信号強度となる。言い換えれば、サーチモードでは、受信装置３０から最も近くにある送信装置２０のチャネルを自動的に判定することができる。
【００３５】
制御部３５によって最も信号強度が高いと判定されたチャネルを、以後に生体情報を監視するための監視チャネルとして設定する（ステップＳ９）。ここで、監視チャネルの設定とは、たとえば、記憶部３４に監視用のチャネルとして記録することを含む。加えて、表示部３３に監視チャネルに設定された信号のチャネルを表示してもよい。監視チャネルの設定が終わると、制御部３５は、サーチモードを終了する。
【００３６】
一方、ステップＳ７において、記憶部３４にチャネルが記憶されていない場合、監視チャネルとして設定する対象となる信号が受信されていないので、制御部３５は、表示部３３に設定エラーを表示させる（ステップＳ１０）。これにより、監視チャネルの設定の不備がユーザーに認知される。制御部３５は、サーチモードを終了する。
【００３７】
実際にユーザーが本医療用システムを用いて、監視チャネルを設定する際の動作の例を図１を参照しつつ説明する。
【００３８】
ユーザーＡは、たとえば病院の看護師であり、受信装置３０を携帯している。
【００３９】
患者Ｂ、Ｃ、Ｄは、たとえば病院に入院している患者であり、それぞれ送信装置２０を装着している。
【００４０】
通常、ユーザーＡは、ナースステーション等の患者から離れた場所で患者の状態を監視している。
【００４１】
その状況で、ナースコールが発呼されるなどして患者Ｂの容態に異常が検知された場合、ユーザーＡは受信装置３０を携帯しつつナースステーション等を離れ、患者Ｂの元へ移動する。
【００４２】
ここで、ユーザーＡは、本発明の医療用システムを用いることにより、患者Ｂの元で生体情報を確認しながら医療行為等を行うことができる。具体的には、ユーザーＡは、受信装置３０を送信装置２０に近づけつつ、操作部３１の所定のボタンを押下し、受信装置３０にサーチモードを実行させる。
【００４３】
サーチモードにおいて、受信装置３０は、受信している信号の中で最も信号強度が高いチャネル、すなわち最も近くにある送信装置２０を検出する。ここで、ユーザーＡは患者Ｂの近くにいるので、受信装置３０は、患者Ｂが装着する送信装置２０からの信号が最も信号強度が高いと判定し、当該送信装置２０のチャネルを監視チャネルとして設定できる。
【００４４】
なお、一旦、監視チャネルが設定されれば、ユーザーが受信装置３０を持って患者Ｂから離れても、患者Ｂの送信装置２０からの信号を受信できる限り、どの場所でも患者Ｂの生体情報を確認できる。
【００４５】
以上のように、本実施形態の医療用システムでは、ユーザーが受信装置３０を患者の送信装置２０に近づけるという単純な操作により、対象となる送信装置２０のチャネルが監視チャネルとして受信装置３０に自動的に設定される。したがって、ユーザーは監視対象の送信装置２０のチャネルを手動で設定する必要がない。手入力による入力誤りを防止でき、ユーザーは、迅速かつ間違いなく、診たい患者の生体情報を確認できる。
【００４６】
また、上記実施形態では、ステップＳ４の閾値未満の信号強度の信号については、Ｓ８において信号強度の大小を判定する対象から除外している。したがって、閾値を調整することで、図１において患者Ｂの近くに他の送信装置２０を携帯する他の患者Ｃ、Ｄ等がいる場合でも、患者Ｃ、Ｄが携帯する送信装置２０を除外して、診たい患者の生体情報を確実に確認できる。
【００４７】
携帯可能な受信装置３０は、診たい患者の生体情報を確実に表示できるので、表示装置を患者一人一人のベッドや患者自身に取り付けておく必要がなく、コストや設置スペースを削減でき、患者の医療機器取り付け負荷を軽減できる。
【００４８】
本システムの他の利用態様としては、たとえば定期的な回診の際にも、ユーザーは、受信装置３０を送信装置２０に近づけることにより手軽に患者の生体情報を確認しながら巡回できる。
【００４９】
さらに、送信装置２０は従来からあるものを使用することが可能であり、また、受信装置３０についても従来からある据置型のものに追加して使用することができる。
【００５０】
また、患者に送信装置２０を取り付ける際の、送信装置２０の正常動作確認にも活用できる。すなわち、患者に初めて送信装置２０を割り当てる場合、ユーザーは、適切に測定手段２２が患者に取り付けられているかを、その場で判定できる。ユーザーは、測定手段２２を患者に取り付けた直後に、送信装置２０に受信装置３０を近づけて、生体情報が適切に受信できているか受信装置３０の表示部３３を見て、送信装置２０の正常動作を確認できる。
【００５１】
なお、上記第１実施形態では、ステップＳ４における所定の閾値は、受信装置３０が送信装置２０から５０ｃｍの距離に近づいたときに、当該送信装置２０から受信装置３０が検出できる信号強度の平均値である場合を説明した。しかし、これに限定されない。目的としない患者の生体情報の受信をより確実に防止するために、閾値を５０ｃｍ未満としてもよい。たとえば、所定の閾値は、送信装置２０から０〜１０ｃｍ程度の場所で測定される信号の強度（平均値）に設定してもよい。あるいは、複数の患者が近距離に存在しえない環境下での使用を想定して、所定の閾値をより大きくしてもよい。たとえば、複数の患者が５ｍ間隔以下には存在しない集中治療室では、所定の閾値を送信装置２０から２．５ｍ程度の場所で測定される信号の強度に設定してもよい。これにより、ユーザーが受信装置３０により特定の患者を監視できる範囲を拡げられる。
【００５２】
上記第１実施形態では、サーチモードにかかる時間については特に規定していない。ただし、迅速に監視チャネルを設定するため、サーチモードの起動から終了までにかかる時間は、１〜２秒程度であることが望ましい。
【００５３】
（第２実施形態）
図５は第２実施形態に係る医療用システムの使用態様例を示す図、図６は第２実施形態に係る生体情報表示装置が表示する患者登録画面を示す図である。
【００５４】
医療用システム１００は、たとえば病院のナースステーションなど患者の情報を登録、管理する場所に設けられる。
【００５５】
以下においては、第１実施形態と重複する部分の説明は省略し、第１実施形態と異なる部分を中心に説明する。
【００５６】
図５に示すように、医療用システム１００は、送信装置２０と、受信装置３０と、生体情報表示装置１１０とを有する。各構成について説明する。
【００５７】
生体情報表示装置１１０は、複数の患者の生体情報を表示するものであり、新しく患者が入院する際に、患者の情報を登録することができる。登録する情報としては、たとえば、図６に示すように、ベッドの情報、氏名などの個人情報、取り付けられる送信装置２０のチャネル番号などがある。
【００５８】
送信装置２０は第１実施形態と同じものであり、ここでは患者に取り付けられる前の状態とする。
【００５９】
受信装置３０は第１実施形態と同じものであり、生体情報表示装置１１０に接続されている。受信装置３０の操作部３１、受信部３２、表示部３３、記憶部３４および制御部３５は、その一部または全部について、接続された生体情報表示装置１１０のハードウエアまたはソフトウエアと共用することが可能である。
【００６０】
患者を管理するための情報として、患者が使用するベッドの情報、患者の氏名などの個人情報に加えて、当該患者に取り付けられる送信装置２０のチャネル番号を、図６に示すような患者登録画面１２０に入力して生体情報表示装置１１０に登録する必要がある。
【００６１】
以下に、本実施形態の医療用システムを用いた、送信装置２０のチャネル番号の登録方法を説明する。
【００６２】
送信装置２０の登録を行う場合、まず、生体情報表示装置１１０に接続された受信装置３０をサーチモードに切り換える。
その状態で、登録する送信装置２０を受信装置３０に十分に近づけることにより、受信装置３０は、第１実施形態と同様に図４のフローチャートに従い、最も近くにある送信装置２０のチャネル番号を取得する。
【００６３】
受信装置３０は、取得したチャネル番号を生体情報表示装置１１０に引き渡す。
【００６４】
生体情報表示装置１１０は受信装置３０から受け取ったチャネル番号を、取り付けられる送信装置２０のチャネル番号として登録することができる。
【００６５】
以上のように、第２実施形態の医療用システム１００においては、患者の各種情報を新たに登録する際に、患者に取り付けるための送信装置２０を受信装置３０に近づけるだけで、送信装置２０のチャネル番号を生体情報表示装置１１０に自動的に登録できる。したがって、チャネル番号を手入力する手間や、手入力による入力誤りを確実に回避できる。
【００６６】
受信装置３０は、送信装置２０が発する信号のチャネルを直接読み取ってチャネル番号を取得するため、正しいチャネル番号を迅速かつ確実に設定することができる。
【００６７】
なお、図５に示すシステムでは、生体情報表示装置１１０は、複数の患者を管理でき、登録した複数の送信装置２０からの生体情報を同時に表示できる。
【００６８】
（第３実施形態）
第１および第２実施形態に係る医療システムの受信装置３０は、サーチモードを実行する際、チャネルを切り換えつつ受信した複数の信号のうち、強度が最も高い信号のチャネルを、生体情報を監視する監視チャネルとして設定する。
【００６９】
しかし、受信装置３０が使用される病院等の環境においては、生体情報を送信する送信装置２０以外にも様々な医療電子機器やパソコン等の情報機器が使用されており、生体情報を送信するための信号以外の信号や、高いレベルの電磁ノイズ等が存在する。たとえば、医療用でない一般用途用のテレメーターやテレコントロール無線機器の中には、送信装置２０に割り当てられたチャネルの範囲に含まれる特定のチャネルを通じて強度の高い信号を送信する機器（以下、他機器という）が存在する。そのような他機器から受信する信号強度が、送信装置２０から受信する信号強度よりも高い場合、受信装置３０がサーチモードを実行すると、他機器のチャネルが監視チャネルとして設定されてしまう。この場合、ユーザーが信号を受信したい送信装置２０のチャネルを監視チャネルとして設定できず、好ましくない。
【００７０】
そこで、第３実施形態においては、受信装置３０がサーチモードを実行する際に、信号の受信を行わないチャネル（以下、制限チャネルという）の設定をユーザーから受け付け、制限チャネルに含まれないチャネルの中から監視チャネルの設定を行う。
【００７１】
以下においては、第１および第２実施形態と重複する部分の説明は省略し、第１および第２実施形態と異なる部分を中心に説明する。
【００７２】
第３実施形態の医療用システム１００は、第１および第２実施形態と同様に、送信装置２０と、受信装置３０と、を有する。送信装置２０および受信装置３０の構成は、第１および第２実施形態と同様である。
【００７３】
図７は、第３実施形態に係る受信装置の動作の流れを示すフローチャートである。このフローチャートにおいて、受信装置３０は、制限チャネルの設定をユーザーから受け付けて設定し、制限チャネルに含まれないチャネルの中から、監視チャネルを自動的に選択し設定する。なお、各ステップの動作については、第１および第２実施形態と同様に、基本的に制御部３５が各部を制御して実行する。また、本フローチャートのステップＳ１〜ステップＳ１０は、図４のステップＳ１〜ステップＳ１０と同様のサーチモード処理である。以下では、ステップＳ２０およびステップＳ２１を中心に説明する。
【００７４】
本実施形態において、受信装置３０がサーチモード処理において受信する全てのチャネルは、たとえば、下記表１に示すような受信チャネルリストとして、記憶部３４に予め記憶されている。
【００７５】
【表１】
0005875967.tif 000002
【００７６】
まず、制御部３５は、制限チャネル設定部として、操作部３１のボタン操作やタッチパネル操作等により、ユーザーから制限チャネルの設定を受け付ける（ステップＳ２０）。制限チャネルの設定は、記憶部３４に記憶されている受信チャネルリストを表示部３３に表示し、表示された受信チャネルリストの中から、受信を制限したいチャネルをユーザーが選択することにより実行される。あるいは、受信を制限したいチャネルの番号や番号の範囲、番号の範囲に対応付けられた名称等を、ユーザーが操作部３１を用いて入力することにより実行されてもよい。制御部３５は、設定を受け付けた制限チャネルを記憶部３４に記憶する。
【００７７】
続いて、制御部３５は、ステップＳ２０において記憶部３４に記憶された制限チャネルが、後続するサーチモード処理において受信部３２によって受信するチャネルとして選択されないように受信チャネルリストを書き換える（ステップＳ２１）。この処理は、たとえば、受信チャネルリストの各チャネルに、表１に示すような「受信」または「制限」を示すステータス情報を対応付け、制限チャネルとして設定されたチャネルは「制限」、それ以外のチャネルは「受信」に設定することにより実現される。下記表２の受信チャネルリストの例では、ｃｈ３０００番台に対応付けられたステータス情報が「制限」として設定されており、ｃｈ３０００番台に含まれるチャネルが制限チャネルとして設定されていることを示している。
【００７８】
【表２】
0005875967.tif 000003
【００７９】
続いて、制御部３５は、ステップＳ１の処理に進み、第１および第２実施形態と同様のサーチモード処理を実行する。ステップＳ１においてサーチモードのボタンが押下されると（ステップＳ１：ＹＥＳ）、受信部３２は受信するチャネルを切り換える（ステップＳ２）。ここで、受信部３２は、受信チャネルリストにおいてステータス情報が「制限」に設定されているチャネルには切り換えず、「受信」に設定されているチャネルにのみ切り換えを行う。表１の例では、受信部３２は、ｃｈ１０００番台、ｃｈ２０００番台、ｃｈ４０００番台、ｃｈ５０００番台、ｃｈ６０００番台のチャネルには順次切り換えて信号を受信し、ｃｈ３０００番台に含まれるｃｈ３００１〜ｃｈ３０４０には切り換えを行わない。
【００８０】
上記のように、受信部３２は、制限チャネル以外のチャネルにおいて、受信するチャネルを切り換える。そして、制御部３５がステップＳ３以降の処理を実行することにより、制限チャネル以外のチャネルにおいて、信号の強度が最も高いチャネルが選択される。その結果として、制御部３５は、制限チャネル以外のチャネルの中から監視チャネルを設定できる。
【００８１】
また、制御部３５は、サーチモード処理の実行中に、受信チャネルリストに含まれ、かつ、制限チャネルとして設定されていないチャネルの番号や番号の範囲等を、受信可能なチャネルとして表示部３３に表示する。あるいは、制限チャネルとして設定されたチャネルを表示部３３に表示してもよい。
【００８２】
以下、実際にユーザーが本医療用システムの受信装置３０に制限チャネルを設定し、監視チャネルを設定する際の具体的な動作の例について説明する。受信装置３０の記憶部３４には、上記表１に示される受信チャネルリストが記憶されているものとして説明する。
【００８３】
図８は、送信装置から受信する信号強度よりも他機器から受信する信号強度が高い場合の様子を示す図であり、図９は、図８の場合において制限チャネルを設定してサーチモードを実行する様子を示す図である。また、図１０は、サーチモードを実行する際に第３実施形態の受信装置に表示される画面の例を示す図である。
【００８４】
図８に示すように、受信装置３０が使用される環境において、受信チャネルリストに含まれるチャネルであるｃｈ３００２を通じて、他機器が信号を送信している。また、ｃｈ３００２の信号は、受信チャネルリストに含まれる全てのチャネルの信号の中で最も強度が高い。ここで、ユーザーが受信装置３０の監視チャネルとして設定したいチャネルは、ｃｈ１００２であるが、ｃｈ３００２よりも信号強度が低い。この状態で、ユーザーが受信装置３０のサーチモードを実行すると、ｃｈ３００２が監視チャネルとして設定されてしまう。これでは、生体情報を監視したい送信装置２０のチャネルであるｃｈ１００２が監視チャネルとして自動設定されず、ユーザーにとって不便である。
【００８５】
ここで、ユーザーは本実施形態の受信装置３０を用いることにより、ｃｈ３００２を除外して、ｃｈ１００２を監視チャネルとして自動設定することができる。具体的には、上記表２に示すように、ｃｈ３００２を含むチャネルバンドであるｃｈ３０００番台を制限チャネルとして設定する。あるいは、ｃｈ３００２のみを制限チャネルとして設定してもよい。この状態でサーチモードを実行すると、図９に示すように、ｃｈ３０００番台に含まれるチャネルについては信号が受信されない。その結果、ｃｈ３０００番台に含まれるチャネル以外で最も信号強度の高いチャネルであるｃｈ１００２が、監視チャネルとして設定される。これにより、ユーザーは所望の送信装置２０のチャネルを受信装置３０の監視チャネルとして設定できる。
【００８６】
サーチモード処理の実行中は、図１０に示すように、受信チャネルリストにおいてステータス状態が「受信」に設定されているチャネルが、受信装置３０の表示部３３の画面に受信可能チャネルとして表示されている。一方、受信チャネルリストにおいて「制限」に設定されている制限チャネルは、空白として表示されている。
【００８７】
以上のように、本実施形態の受信装置３０によれば、信号の受信を行わないチャネルを制限チャネルとして設定することにより、制限チャネルに含まれないチャネルの中から監視チャネルを設定できる。したがって、生体情報を送信する送信装置２０以外の機器が、送信装置２０に割り当てられうるチャネルにおいて高い強度の信号を発している場合においても、ユーザーは、誤ったチャネルを設定することなく適切な監視チャネルを設定して生体情報を監視できる。
【００８８】
また、本実施形態の受信装置３０によれば、サーチモード処理の実行中に、受信可能なチャネルが表示部３３に表示される。したがって、ユーザーは、受信可能なチャネルを確認しつつ確実に監視チャネルの設定を行える。
【００８９】
なお、本実施形態において、制限チャネルの設定はユーザーの操作によって行われるものとして説明したが、これに限定されない。受信装置３０において生体情報を送信する送信装置２０以外の機器が送信した信号を自動的に判定できる場合には、制限チャネルの設定は自動的に行なわれてもよい。
【００９０】
また、本実施形態において、表示部３３の画面には制限チャネルを空白として表示していたが、これに限定されない。制限チャネルは、他の受信可能なチャネルと色を異ならせて表示してもよく、取り消し線等により受信が制限されていることがわかるように表示してもよい。
【符号の説明】
【００９１】
１０  医療用システム、
２０  送信装置、
２２  測定手段、
３０  受信装置、
３１  操作部、
３２  受信部、
３３  表示部、
３４  記憶部、
３５  制御部、
１００  医療用システム、
１１０  生体情報表示装置、
１２０  患者登録画面。
【図２】
0005875967.tif 000004
【図３】
0005875967.tif 000005
【図４】
0005875967.tif 000006
【図６】
0005875967.tif 000007
【図７】
0005875967.tif 000008
【図１】
0005875967.tif 000009
【図５】
0005875967.tif 000010
【図８】
0005875967.tif 000011
【図９】
0005875967.tif 000012
【図１０】
0005875967.tif 000013